(57)【要約】【課題】信頼性を向上する。【解決手段】現金自動取引装置１は、取引すべき紙幣を外部から取り込む入出金部１４と、紙幣を搬送する搬送部１５と、回転可能に支持され回転軸３１Ｘを中心に回転し紙幣を周側面に巻き付けるドラム３１と、ドラム３１の回転に伴い周側面３１Ｓとの間に紙幣を挟んで巻き付けるテープ４２と、紙幣の巻き付け量によって変化するドラム３１のドラム径に追従して可動し、ドラム３１に対向して周側面３１Ｓとの間で紙幣をガイドする下側可動ガイド３４と、下側可動ガイド３４に設けられ、テープ４２におけるドラム３１の回転軸３１Ｘから離隔する側である外側面に当接し、帯電したテープ４２から移動した電荷を放電する除電バー５０とを設ける。【選択図】図４
2020194417.tif 000002
【特許請求の範囲】
【請求項１】
回転可能に支持され回転軸を中心に回転し紙葉状の媒体を周側面に巻き付けるドラムと、
前記ドラムの回転に伴い前記周側面との間に前記媒体を挟んで巻き付けるテープと、
前記媒体の巻き付け量によって変化する前記ドラムのドラム径に追従して可動し、前記ドラムに対向して前記周側面との間で前記媒体をガイドする可動ガイドと、
前記可動ガイドに設けられ、前記テープにおける前記ドラムの前記回転軸から離隔する側である外側面に当接し、帯電した前記テープから移動した電荷を放電する除電部と
を有する媒体処理装置。
【請求項２】
前記除電部は、
前記ドラムが前記テープを巻き戻す巻戻方向へ回転して前記ドラムの前記周側面から離れた前記テープに当接する
請求項１に記載の媒体処理装置。
【請求項３】
前記可動ガイドに設けられ、前記ドラムの前記周側面から離れた前記テープを巻き付ける可動ローラをさらに有し、
前記除電部は、
前記テープが前記ドラムの前記周側面から離れる箇所と、前記テープと前記可動ローラとが当接する箇所との間において前記テープに当接する
請求項２に記載の媒体処理装置。
【請求項４】
前記テープが予め巻き付けられ、前記ドラムの回転に伴って該テープが引き出されるリールと、
前記ドラムと前記リールとの間における前記テープの軌道上において、中心軸が移動せずに回転するよう設けられ、前記ドラムの前記周側面から離れた前記テープを巻き付ける固定ローラと、
前記固定ローラに巻き付いた状態の前記テープにおける、前記外側面とは逆側の内側面に当接し、帯電した前記テープから移動した電荷を放電するテープ内側除電部と
をさらに有する請求項１乃至請求項３の何れかに記載の媒体処理装置。
【請求項５】
前記固定ローラは、金属製以外の材料により形成されている
請求項４に記載の媒体処理装置。
【請求項６】
前記除電部は、一端側が所定の金属部材と導通され、他端側が前記ドラムに向かって突出する、導電性部材である
請求項１乃至請求項５の何れかに記載の媒体処理装置。
【請求項７】
導電性のフレームと電気的に接続され、帯電した前記テープから移動した電荷を前記フレームへ放電する導通部
をさらに有する請求項１乃至請求項６の何れかに記載の媒体処理装置。
【請求項８】
前記可動ガイドにおいて、前記テープが前記ドラムの前記周側面から離れる箇所に設けられ、前記ドラムの内部に向けて付勢され、前記テープを前記ドラムに向かって押圧する押圧ローラと、
前記可動ガイドに設けられ、前記ドラムの前記周側面から離れた前記テープを巻き付ける可動ローラと
を有し、
前記除電部は、前記押圧ローラと前記可動ローラとの間に設けられる
請求項１乃至請求項７の何れかに記載の媒体処理装置。
【請求項９】
取引すべき紙葉状の媒体を外部から取り込む取込部と、
前記媒体を搬送する搬送部と、
回転可能に支持され回転軸を中心に回転し前記媒体を周側面に巻き付けるドラムと、
前記ドラムの回転に伴い前記周側面との間に前記媒体を挟んで巻き付けるテープと、
前記媒体の巻き付け量によって変化する前記ドラムのドラム径に追従して可動し、前記ドラムに対向して前記周側面との間で前記媒体をガイドする可動ガイドと、
前記可動ガイドに設けられ、前記テープにおける前記ドラムの前記回転軸から離隔する側である外側面に当接し、帯電した前記テープから移動した電荷を放電する除電部と
を有する媒体取引装置。
【発明の詳細な説明】
【技術分野】
【０００１】
本発明は媒体処理装置及び媒体取引装置に関し、例えば紙幣等の媒体を投入して所望の取引を行う現金自動取引装置（ＡＴＭ：Automatic Teller Machine）等に適用して好適なものである。
【背景技術】
【０００２】
従来、金融機関や店舗等で使用される現金自動取引装置等においては、顧客との取引内容に応じて、顧客に紙幣や硬貨等の現金を入金させ、また顧客へ現金を出金する。現金自動取引装置としては、顧客との間で紙幣の授受を行う入出金部と、投入された紙幣の金種及び真偽を鑑別すると共に紙幣の記番号を識別する鑑別部と、投入された紙幣を一時的に保留する一時保留部と、紙幣を搬送する搬送部と、金種毎に紙幣を格納する紙幣収納庫とを有する紙幣入出金機を内蔵するものがある。
【０００３】
一時保留部としては、例えば回転する円筒状のドラムと、該ドラムの周側面に一端が固定されたテープと、このテープが巻回されるリールと、テープを所望の走行経路に沿って走行させる複数のローラ等を有するものがある。この一時保留部は、ドラムの周側面にテープと共に紙幣を巻き付けることで該紙幣を収納し、また該周側面からテープと共に紙幣を引き剥がして繰り出す（例えば、特許文献１参照）。
【０００４】
このような一時保留部においては、テープを巻き戻していくことで紙幣を放出する際に、巻き戻したテープと紙幣との間に静電気が発生してテープに帯電し、リールにテープが巻き取られた後に放電して一時保留部が故障してしまう可能性がある。このため一時保留部においては、ドラムから引き剥がされたテープに例えば除電バーを当接させることによりテープから静電気を取り除く（すなわち除電する）ことが望ましい。
【先行技術文献】
【特許文献】
【０００５】
【特許文献１】特開２０１３−１９６４３１号公報
【発明の概要】
【発明が解決しようとする課題】
【０００６】
しかしながら一時保留部は、リールとドラムとに巻き付いているテープの巻き付け量に応じてリール及びドラムの見かけ上の外径が変化するため、巻き付け量に応じてテープの軌道が変化する。このため一時保留部は、巻き付け量に応じて除電バーとテープとの距離が離れすぎたり近すぎたりしてしまい、適切に除電ができない可能性がある。
【０００７】
本発明は以上の点を考慮してなされたもので、信頼性を向上し得る媒体処理装置及び媒体取引装置を提案しようとするものである。
【課題を解決するための手段】
【０００８】
かかる課題を解決するため本発明の媒体処理装置においては、回転可能に支持され回転軸を中心に回転し紙葉状の媒体を周側面に巻き付けるドラムと、ドラムの回転に伴い周側面との間に媒体を挟んで巻き付けるテープと、媒体の巻き付け量によって変化するドラムのドラム径に追従して可動し、ドラムに対向して周側面との間で媒体をガイドする可動ガイドと、可動ガイドに設けられ、テープにおけるドラムの回転軸から離隔する側である外側面に当接し、帯電したテープから移動した電荷を放電する除電部とを設けるようにした。
【０００９】
また本発明の媒体取引装置においては、取引すべき紙葉状の媒体を外部から取り込む取込部と、媒体を搬送する搬送部と、回転可能に支持され回転軸を中心に回転し媒体を周側面に巻き付けるドラムと、ドラムの回転に伴い周側面との間に媒体を挟んで巻き付けるテープと、媒体の巻き付け量によって変化するドラムのドラム径に追従して可動し、ドラムに対向して周側面との間で媒体をガイドする可動ガイドと、可動ガイドに設けられ、テープにおけるドラムの回転軸から離隔する側である外側面に当接し、帯電したテープから移動した電荷を放電する除電部とを設けるようにした。
【００１０】
本発明は、媒体の巻き付け量によって変化するテープの軌道に追従させて除電部を移動させ、媒体の巻き付け量に関わらずテープに除電部を接触させテープを除電できる。
【発明の効果】
【００１１】
本発明によれば、信頼性を向上し得る媒体処理装置及び媒体取引装置を実現できる。
【図面の簡単な説明】
【００１２】
【図１】現金自動取引装置の構成を示す斜視図である。
【図２】現金自動取引装置の内部構成を示す左側面図である。
【図３】一時保留部の内部構成を示す左側面図であり、（Ａ）は最薄状態、（Ｂ）は最厚状態である。
【図４】下側搬送ガイドの構成（１）を示す斜視図である。
【図５】下側搬送ガイドの構成（２）を示す斜視図である。
【図６】除電バーの構成を示し、（Ａ）は正面図、（Ｂ）は左側面図である。
【発明を実施するための形態】
【００１３】
以下、発明を実施するための形態（以下実施の形態とする）について、図面を用いて説明する。
【００１４】
［１．現金自動取引装置の構成］
図１に外観を示すように、現金自動取引装置１は、箱状の筐体２を中心に構成されており、例えば金融機関等に設置され、顧客との間で入金取引や出金取引等の現金に関する取引を行う。筐体２は、その前側に顧客が対峙した状態で紙幣の投入やタッチパネルによる操作等をしやすい箇所に顧客応対部３が設けられている。
【００１５】
顧客応対部３は、カード入出口４、入出金口５、操作表示部６、テンキー７及びレシート発行口８が設けられており、顧客との間で現金や通帳等を直接やり取りすると共に、取引に関する情報の通知や操作指示の受付を行う。カード入出口４は、キャッシュカード等の各種カードが挿入又は排出される部分である。カード入出口４の奥側には、各種カードに磁気記録された口座番号等の読み取りを行うカード処理部（図示せず）が設けられている。入出金口５は、顧客が入金する紙幣が投入されると共に、顧客へ出金する紙幣が排出される部分である。入出金口５は、シャッタを駆動することにより開放又は閉塞する。操作表示部６は、取引に際して操作画面を表示するＬＣＤ（Liquid Crystal Display）と、取引の種類の選択、暗証番号や取引金額等を入力するタッチパネルとが一体化されている。テンキー７は、「０」〜「９」の数字等の入力を受け付ける物理的なキーであり、暗証番号や取引金額等の入力操作時に用いられる。レシート発行口８は、取引処理の終了時に取引内容等を印字したレシートを発行する部分である。因みにレシート発行口８の奥側には、レシートに取引内容等を印字するレシート処理部（図示せず）が設けられている。
【００１６】
筐体２内には、現金自動取引装置１全体を統括制御する主制御部９や、紙幣に関する種々の処理を行う紙幣入出金機１０等が設けられている。主制御部９は、図示しないＣＰＵ（Central Processing Unit）を中心に構成されており、ＲＯＭ（Read Only Memory）、ＲＡＭ（Random Access Memory）、ハードディスクドライブやフラッシュメモリ等でなる記憶部から所定のプログラムを読み出して実行することにより、各部を制御して入金取引や出金取引等の種々の処理を行う。
【００１７】
筐体２は、前面側及び後面側に、開閉可能な扉が設けられている。筐体２は、顧客との間で取引処理が行われる取引動作時の場合には扉を閉鎖することにより、現金自動取引装置１の内部を保護する。一方筐体２は、行員や金融機関の保守員等により保守作業が行われる保守作業時の場合には、必要に応じて扉を開放することにより、内部の各部に対する作業を容易に行わせ得る。以下では、現金自動取引装置１のうち顧客が対峙する側を前側とし、その反対を後側とし、該前側に対峙した顧客から見て左、右、上及び下をそれぞれ左側、右側、上側及び下側として説明する。
【００１８】
［２．紙幣入出金機の内部構成］
図２に示すように紙幣入出金機１０は、大きく分けて、上下方向のほぼ中央よりも上側部分を占める上部ユニット１０Ｕと、その下側部分を閉める下部ユニット１０Ｄとにより構成されており、内部に紙幣に関する種々の処理を行う複数の部分が組み込まれている。
【００１９】
［２−１．上部ユニットの構成］
上部ユニット１０Ｕは、フレーム１１に各種機構が固定され、紙幣制御部１２（図１）が各部（入出金部１４、搬送部１５、鑑別部１６、一時保留部１７、紙幣収納庫１８、上側リジェクト庫１９Ｕ及び下側リジェクト庫１９Ｄ）を統括制御する。
【００２０】
紙幣制御部１２（図１）は、図示しないＣＰＵを中心に構成されており、ＲＯＭ、ＲＡＭ、ハードディスクドライブやフラッシュメモリ等でなる記憶部１３（図１）から所定のプログラムを読み出して実行することにより、各部を制御して入金取引や出金取引等の種々の処理を行う。記憶部１３は、鑑別部１６が紙幣を鑑別した鑑別結果及び紙幣の記番号の識別結果等を取引情報と合わせて記憶する。
【００２１】
入出金部１４は、紙幣入出金機１０における前方上側に配され、顧客から投入された紙幣を１枚ずつ分離し搬送部１５へ繰り出す。入出金部１４の入出金口５（図１）には、シャッタが設けられている。入出金部１４は、入金取引時において顧客に紙幣を投入させる場合と、出金取引時において顧客に紙幣を受け渡す場合、シャッタを後方向へスライド移動させてシャッタ開放状態とすることにより入出金口５を開放させる。一方入出金部１４は、入金取引時及び出金取引時以外の場合は、シャッタを前方向へスライド移動させて入出金口５を閉塞させシャッタ閉塞状態とすることにより、入出金部１４からの紙幣の取り出しや外部からの入出金部１４への悪戯等を防止する。
【００２２】
搬送部１５は、図示しないローラやベルト等により、図中太線で示す搬送路に沿って長方形の紙幣を短手方向に搬送する。搬送部１５は、鑑別部１６を前後方向に挿通させるように紙幣を搬送し、該鑑別部１６の後側と一時保留部１７、上側リジェクト庫１９Ｕ及び入出金部１４とをそれぞれ接続している。また搬送部１５は、鑑別部１６の前側と入出金部１４、紙幣収納庫１８及び下側リジェクト庫１９Ｄとを接続している。搬送部１５の分岐点には、セレクタ（図示せず）が設けられており、紙幣制御部１２（図１）の制御に基づき回動することにより、紙幣の搬送先を切り替える。
【００２３】
鑑別部１６は、その内部で紙幣を搬送しながら、光学素子や磁気検出素子等を用いて該紙幣の金種及び真偽、並びに損傷の程度等（正損）を鑑別し、その鑑別結果を紙幣制御部１２へ通知する。また鑑別部１６は、撮像した紙幣の画像データから、紙幣毎に付与されその紙幣の一面に予め印刷された英数字等で構成された記番号を読み取り識別する。このとき鑑別部１６は、識別した字を識別結果として紙幣制御部１２へ通知する。これに応じて紙幣制御部１２は、取得した鑑別結果及び識別結果に基づいて紙幣の搬送先を決定する。
【００２４】
一時保留部１７は、入金時に顧客が入出金部１４へ投入した紙幣を一時的に保留し、鑑別部１６で入金可能と鑑別された入金可能紙幣を入金が確定するまで一時的に保留する。一方、入金不可と鑑別された入金リジェクト紙幣は入出金部１４へ排出される。また一時保留部１７は、出金時において鑑別部１６で出金不可能と鑑別された出金不可紙幣を、出金可能な紙幣が出金されるまで一時的に保留し、その後該出金不可紙幣を上側リジェクト庫１９Ｕへ排出する。
【００２５】
上側リジェクト庫１９Ｕは、直方体状に形成されると共に内部に紙幣を集積して収納する空間を有している。この上側リジェクト庫１９Ｕは、鑑別部１６及び紙幣制御部１２により、破損した紙幣（いわゆる損券）と鑑別された紙幣、偽造券と判別された紙幣及び５千券や２千券等の還流されない金種の紙幣等、再利用すべきで無いと判断された紙幣が搬送部１５により搬送されて来ると、該紙幣を内部に収納する。
【００２６】
［２−２．下部ユニットの構成］
下部ユニット１０Ｄには、筐体２に取り付けられた下部フレーム２０が設けられている。下部フレーム２０には、再利用可能な紙幣を収納する複数の紙幣収納庫１８と、再利用すべきでない紙幣を収納する下側リジェクト庫１９Ｄとが着脱可能に設けられている。
【００２７】
下部ユニット１０Ｄは、紙幣収納庫１８及び下側リジェクト庫１９Ｄの上面に振分搬送部２１が取り付けられている。振分搬送部２１は、搬送モータ、センサ及びブレード等の複数種類の搬送路形成部品により、上部ユニット１０Ｕから搬送されたリジェクト紙幣や正常な紙幣を、搬送先を適宜切り替えて下側リジェクト庫１９Ｄや紙幣収納庫１８へ振り分けるように搬送する。
【００２８】
下部フレーム２０内には、前側から後側へ向けて順に５個の紙幣収納庫１８が設けられている。各紙幣収納庫１８は、何れも同様に構成されており、上下方向に長い直方体状に形成されると共に内部に紙幣を集積して収納する空間を有している。各紙幣収納庫１８は、それぞれ収納すべき紙幣の金種が予め設定されている。この紙幣収納庫１８は、鑑別部１６及び紙幣制御部１２により損傷の程度が小さく再利用が可能であると判断された紙幣が、その金種に応じて搬送部１５により搬送されてくると、該紙幣を内部に集積して収納する。また紙幣収納庫１８は、紙幣制御部１２から紙幣を繰り出す指示を受け付けると、集積している紙幣を１枚ずつに分離して繰り出し、搬送部１５に受け渡す。
【００２９】
下側リジェクト庫１９Ｄは、下部フレーム２０内における紙幣収納庫１８の後方に位置しており、上下方向に長い直方体状に形成されると共に内部に紙幣を集積して収納する空間を有している。この下側リジェクト庫１９Ｄは、鑑別部１６及び紙幣制御部１２により、破損した紙幣（いわゆる損券）と鑑別された紙幣、偽造券と判別された紙幣及び５千券や２千券等の還流されない金種の紙幣等、再利用すべきで無いと判断された紙幣が搬送部１５により搬送されて来ると、該紙幣を内部に収納する。
【００３０】
かかる構成において現金自動取引装置１は、鑑別部１６による紙幣の鑑別結果及び識別結果等をもとに主制御部９及び紙幣制御部１２が各部を制御して、紙幣の入金処理及び出金処理等を行う。
【００３１】
［３．一時保留部の構成］
図３に示すように、媒体処理装置としての一時保留部１７は、一時保留部フレーム３０により外側が覆われており、その内部に各部品が取り付けられている。なお図３は、一時保留部１７の左側面図を模式的に表したものであり、説明の都合上、一部の部品を透過、若しくは省略、又は簡略化している。また一時保留部１７には、互いにほぼ同様に構成されたテープ走行系が左右に等間隔を空けて３系統設けられている。各テープ走行系では、それぞれ１本のテープ４２を走行させる。
【００３２】
一時保留部フレーム３０内の中央上寄り付近には、紙幣が搬送される搬送方向に直交する搬送幅方向である左右方向に延びる回転軸３１Ｘを中心に回転する円筒状のドラム３１が設けられている。ドラム３１は、図示しないモータ等からの駆動力が伝達されることにより、巻取方向Ｒ１又は巻戻方向Ｒ２へ回転する。ドラム３１は、詳しくは後述するが、その周側面３１Ｓに紙幣が巻き付けられると、図３（Ｂ）に示すようにドラム３１の外周に巻付層３１Ｗが形成される。このときのドラム３１は、紙幣が巻き付けられていない状態である最薄状態（図３（Ａ））と比較して、ドラム３１の径に巻付層３１Ｗの厚さを足した見かけ上の径が大きくなる。以下ではこの見かけ上の径をドラム径と呼ぶ。また、ドラム３１に紙幣が巻き付けられているときには、巻付層３１Ｗの最外周を周側面３１Ｓとする。つまり、ドラム３１に紙幣が巻き付けられていくと、ドラム径が大きくなっていくと共に周側面３１Ｓがドラム３１の回転軸３１Ｘから離れていくことになる。ここで、ドラム３１のドラム径が設計上最も大きい、すなわちドラム３１に設計上最も多くの紙幣が巻き付けられている状態を、最厚状態（図３（Ｂ））とも呼ぶ。
【００３３】
一時保留部フレーム３０の前面には、紙幣を挿通させるための挿通孔３０Ｈが穿設されている。この挿通孔３０Ｈの後方には、紙幣を上下からそれぞれ案内する上側搬送ガイド３２及び下側搬送ガイド３３が設けられている。上側搬送ガイド３２は、その下面がほぼ平坦且つほぼ水平なガイド面となっており、一時保留部フレーム３０に固定されている。下側搬送ガイド３３は、その上面がほぼ平坦且つほぼ水平なガイド面となっており、上側搬送ガイド３２の下面との間に例えば５［ｍｍ］程度の隙間を形成するようにして、一時保留部フレーム３０に固定されている。つまり、一時保留部１７は、上側搬送ガイド３２と下側搬送ガイド３３との隙間に沿って紙幣を前後方向へ案内する。上側搬送ガイド３２及び下側搬送ガイド３３は、例えば樹脂材料で成形されている。
【００３４】
また、下側搬送ガイド３３の後側には、ドラム３１の下側に位置するように下側可動ガイド３４が設けられている。下側可動ガイド３４は、その前半分部分の上面が、下側搬送ガイド３３の上面を延長したような平坦なガイド面となっている。また、下側可動ガイド３４は、その後半分部分の上面が、ドラム３１の周側面３１Ｓに沿うように湾曲したガイド面となっている。下側可動ガイド３４も、例えば樹脂材料で成形されている。
【００３５】
図３、図４及び図５に示すように、下側可動ガイド３４の後半分部分においてドラム３１の真下よりも後ろ寄りとなる位置には、左右方向のほぼ中央に１つのドラム当接ローラ３５が設けられている。押圧ローラとしてのドラム当接ローラ３５は、左右方向に延びる略円柱状であり、下側可動ガイド３４に回転可能に支持されている。このドラム当接ローラ３５は、上側の一部分が下側可動ガイド３４の上面より上方に突出して当接位置Ｐ１においてドラム３１の周側面３１Ｓに当接する。この下側可動ガイド３４は、その前端部分が、下側搬送ガイド３３の後端部分に回動可能に支持されており、図示しないトーションスプリング等によってドラム３１の周側面３１Ｓに押し付けられる方向に付勢されている。これにより下側可動ガイド３４は、ドラム３１のドラム径の変化に追従するように可動して、常にドラム当接ローラ３５をドラム３１の周側面３１Ｓに当接させる。
【００３６】
また、下側可動ガイド３４におけるドラム当接ローラ３５と後述するフィードローラ４５との間のほぼ中央部分には、後述する除電バー５０の根本部を挿通させる下側可動ガイド除電バー孔３４ａが、左右方向に並んで３本のテープ４２とそれぞれ対向するように穿設されている。この下側可動ガイド除電バー孔３４ａは、下側可動ガイド３４を上下方向に貫通しており、左右方向の長さが除電バー５０の幅よりも大きくなっており、内部に除電バー５０の根本部を収容している。除電バー５０は、互いに同様の構成の除電バー５０が、左右方向に並んで３本のテープ４２とそれぞれ対向するように配置されており、先端側がドラム３１に向かって突出し、テープ４２における、回転軸３１Ｘから離隔する側である外側面４２ｓ１に当接している。
【００３７】
また下側可動ガイド３４における下面、すなわち背面には、下側可動ガイド背面板金３４ｓが固定されている。下側可動ガイド背面板金３４ｓは、導電性のケーブルである導通部としてのアースコード６０の一端が接続されている。アースコード６０の他端は、一時保留部フレーム３０に接続されている。これにより下側可動ガイド背面板金３４ｓは、アースコード６０により一時保留部フレーム３０と導通している。
【００３８】
また、ドラム３１の下方には、左右方向のほぼ中央に、左右方向に延びる回転軸４１Ｘを中心に回転する３つの糸巻状のリール４１が設けられている。リール４１は、左右方向の長さがドラム３１と比較して十分短く形成されている。また、リール４１は、図示しないモータ等からの駆動力が伝達されることにより、引出方向Ｓ２又は巻取方向Ｓ１へ回転する。それぞれのリール４１には、１本のテープ４２が巻き取られている。テープ４２は、例えば比較的柔らかい樹脂材料であり、細長く薄いフィルム状に形成されている。テープ４２の幅（左右方向の長さ）は、リール４１の幅よりも僅かに短く、ドラム３１の左右方向の長さよりも十分短くなっている。テープ４２は、その一端が、リール４１の周側面に固定されている。
【００３９】
リール４１の上側の前方には、中心軸が移動しないよう一時保留部フレーム３０に回転可能に支持された３つのローラ４３が配置されている。固定ローラとしてのローラ４３は、例えば樹脂材料で成形され、左右方向に延びる略円柱状であり、左右方向の長さがドラム３１と比較して十分短く形成されている。さらに下側可動ガイド３４には、ローラ４３とドラム当接ローラ３５との間に３つのフィードローラ４５が設けられている。可動ローラとしてのフィードローラ４５は、左右方向に延びる円柱状であり、下側可動ガイド３４により回転可能に支持されている。このフィードローラ４５は、ドラム当接ローラ３５と同様に、上側の一部分が下側可動ガイド３４の上面より上方に突出する。またこのフィードローラ４５も、左右方向の長さがドラム３１と比較して十分短く形成されている。またフィードローラ４５の前方には、テープ４２を通すための孔（図示せず）が穿設されている。この孔は、下側可動ガイド３４を上下方向に貫通しており、左右方向の長さがテープ４２の幅よりも大きくなっている。ドラム当接ローラ３５、ローラ４３及びフィードローラ４５は、それぞれ左右方向の長さが、テープ４２の左右方向の長さ（すなわちテープ幅）よりも僅かに長くなっている。
【００４０】
リール４１に巻き取られているテープ４２は、リール４１から前方斜め上へと引き出された後、ローラ４３に掛け渡されて後方斜め上に折り返される。さらにテープ４２は、フィードローラ４５の上部に掛け渡されて後方へと向かい、ドラム当接ローラ３５とドラム３１との間に入り込んで、ドラム当接ローラ３５によりドラム３１の周側面３１Ｓに押し付けられ、最終的にドラム３１に巻き取られる。なお、テープ４２の先端は、ドラム３１の周側面３１Ｓに固定されている。
【００４１】
またローラ４３の前方には、互いに同様の構成の除電バー５２が、左右方向に並んで３本のテープ４２とそれぞれ対向するように配置されている。テープ内側除電部としての除電バー５２は、除電バー５０（後述する）と同様の構成であり、根本部が一時保留部フレーム３０に貼り付けられており、先端部が、ローラ４３に巻き付いた状態のテープ４２における、外側面４２ｓ１に対する逆側の面であり回転軸３１Ｘに近接する側である内側面４２ｓ２に当接している。
【００４２】
一時保留部１７は、ドラム３１を巻取方向Ｒ１へ回転させることで、ドラム３１によりテープ４２を引っ張りながら、テープ４２を上述した経路で走行させ、テープ４２をドラム３１の周側面３１Ｓに巻き取っていく。また、一時保留部１７は、リール４１を巻取方向Ｓ１へ回転させると共にドラム３１を巻戻方向Ｒ２へ回転させることで、ドラム３１の周側面３１Ｓからテープ４２を引き剥がし、上述した経路を逆方向に走行させて、テープ４２をリール４１に巻き取っていく。よってテープ４２には、経路上の全ての箇所で張力が作用する。
【００４３】
この一時保留部１７では、紙幣の収納時、ドラム３１を巻取方向Ｒ１へ回転させてテープ４２を走行させ、挿通孔３０Ｈから入り込んでくる紙幣を、上側搬送ガイド３２と下側搬送ガイド３３との隙間に沿って後方へと搬送し、ドラム３１の回転に伴ってテープ４２により紙幣を周側面３１Ｓに巻き付けていく。このとき下側可動ガイド３４は、ドラム径の変化に追従して可動することにより、常にドラム当接ローラ３５を周側面３１Ｓに当接させる。
【００４４】
一方紙幣の繰出時、一時保留部１７は、リール４１を巻取方向Ｓ１へ回転させると共にドラム３１を巻戻方向Ｒ２へ回転させてテープ４２を収納時とは逆方向に走行させることにより、ドラム３１に巻き付けられている紙幣を、当接位置Ｐ１においてテープ４２と共にドラム３１から引き剥がしていく。ドラム３１から引き剥がされた紙幣は、前方へ搬送され、さらに上側搬送ガイド３２と下側搬送ガイド３３との隙間に沿って搬送方向に沿うように前方へ搬送され、挿通孔３０Ｈから繰り出される。
【００４５】
このように一時保留部１７は、ドラム径の変化に追従して下側可動ガイド３４が可動するため、下側可動ガイド３４に支持されたドラム当接ローラ３５及びフィードローラ４５もまた可動する。一方、ローラ４３は、ドラム径の変化に関わらず回転軸が移動しない。このため一時保留部１７においては、当接位置Ｐ１と、ドラム３１からローラ４３へ向かったテープ４２がローラ４３に巻き始める箇所である巻付位置Ｐ２との間におけるテープ４２の軌道が、ドラム径に応じて変化することとなる。一方テープ４２がローラ４３に巻き付いている箇所においては、テープ４２の軌道は、ドラム径に応じて変化しない。また一方、テープ４２がローラ４３から離れる箇所から、リール４１に巻き付き始める箇所までの間においては、テープ４２の軌道は、ドラム径に応じて変化する。
【００４６】
上述した構成に加えて、一時保留部１７には、上側搬送ガイド３２の後側に、上側可動ガイド３６が設けられている。この上側可動ガイド３６の後面（すなわちドラム３１と対向する面）は、ドラム３１の周側面３１Ｓに沿うように湾曲している。この上側可動ガイド３６には、それぞれ外側面の下端近傍に、追従ローラ３７が回転可能に支持されている。この追従ローラ３７は、後側の一部分が上側可動ガイド３６の後面よりも後方に突出してドラム３１の周側面３１Ｓに当接する。
【００４７】
またこの上側可動ガイド３６は、上端部分が上側搬送ガイド３２の後端部分の上端に回転可能に支持されており、図示しないスプリングによってドラム３１の周側面３１Ｓに押し付けられる方向に付勢されている。これにより上側可動ガイド３６は、ドラム３１のドラム径の変化に追従するように可動して、常に追従ローラ３７をドラム３１の周側面３１Ｓに当接させる。
【００４８】
一時保留部１７は、このような上側可動ガイド３６を有している。これにより一時保留部１７は、例えば、ドラム３１から引き剥がした直後の紙幣を、上側搬送ガイド３２と下側搬送ガイド３３との隙間へと搬送する際に、この紙幣に両端が持ち上がるような折れ癖が付いていたとしても、紙幣の上方に位置する上側可動ガイド３６によって、紙幣の折れ曲がりを抑制し、上側搬送ガイド３２の後面等に引っ掛けたりすることなく、紙幣をドラム３１の周側面３１Ｓから上側搬送ガイド３２と下側搬送ガイド３３との隙間へとガイドできる。
【００４９】
［４．除電バーの構成］
除電バー５０と除電バー５２とは、互いに同様に構成されているため、以下では除電バー５０について説明する。除電バー５０は、互いに同様の構成の除電バー５０が、左右方向に並んで、３本のテープ４２とそれぞれ対向するように配置されている。図６に示すように除電バー５０は、絶縁シート５０ａ、接着剤５０ｂ、電極５０ｃ、抜け防止接着剤５０ｄ及び導電両面テープ５０ｅにより構成されている。電極５０ｃは、長手方向に沿って延びる導電性のステンレス繊維であり、左右方向である除電バー５０の幅方向に沿って複数本が配設されている。絶縁シート５０ａは、電極５０ｃに対し、幅方向に直交する厚さ方向の一方向側に設けられており、電極５０ｃの長手方向の長さの半分程度の長手方向の長さを有し、電極５０ｃの根本側に配され、電極５０ｃの厚さ方向の一方向側を外部から電気的に絶縁する。接着剤５０ｂは、電極５０ｃと絶縁シート５０ａとの間に塗布されており、電極５０ｃに絶縁シート５０ａを接着させる。導電両面テープ５０ｅは、電極５０ｃに対し厚さ方向の他方向側において該電極５０ｃに貼り付けられており、電極５０ｃの長手方向の長さの半分程度の長手方向の長さを有し、電極５０ｃの根本側に配され、電極５０ｃの厚さ方向の他方向側を外部と物理的に接着させると共に電気的に導通させる。抜け防止接着剤５０ｄは、電極５０ｃに対し根本側に塗布されており、該電極５０ｃが接着剤５０ｂと導電両面テープ５０ｅとの間から抜け出てしまうことを防止する。
【００５０】
除電バー５０における根本部は、下側可動ガイド３４の下側可動ガイド除電バー孔３４ａに挿通しており、導電両面テープ５０ｅが下側可動ガイド背面板金３４ｓに貼り付いている。このため除電バー５０は、電極５０ｃにおける根本側が下側可動ガイド背面板金３４ｓと導通していると共に、先端側がドラム３１に向かって突出し、当接位置Ｐ１と巻付位置Ｐ２との間において、テープ４２における、回転軸３１Ｘから離隔する側である外側面４２ｓ１に当接する。
【００５１】
［５．除電について］
かかる構成において、リール４１が巻取方向Ｓ１へ回転すると共にドラム３１が巻戻方向Ｒ２に回転し、ドラム３１の周側面３１Ｓからテープ４２が引き剥され、テープ４２の外側面４２ｓ１が除電バー５０の電極５０ｃに接触すると、テープ４２の外側面４２ｓ１から電荷が電極５０ｃ及び導電両面テープ５０ｅを介して下側可動ガイド背面板金３４ｓへ移動し、さらにアースコード６０を介して一時保留部フレーム３０へ移動する。このためテープ４２の外側面４２ｓ１に帯電した静電気は、除電バー５０、下側可動ガイド背面板金３４ｓ、アースコード６０及び一時保留部フレーム３０を介しフレーム１１へ放電される。これによりテープ４２は、外側面４２ｓ１が除電される。
【００５２】
上述したように、ドラム径が変化すると、当接位置Ｐ１と巻付位置Ｐ２との間におけるテープ４２の軌道が変化する。すなわち、最薄状態（図３（Ａ））において、当接位置Ｐ１と巻付位置Ｐ２との間におけるテープ４２の軌道は、最もドラム３１の回転軸３１Ｘに近接するように上側の位置を通る一方、最厚状態（図３（Ｂ））において、当接位置Ｐ１と巻付位置Ｐ２との間におけるテープ４２の軌道は、最もドラム３１の回転軸３１Ｘから離隔するように下側の位置を通る。
【００５３】
これに対し、下側可動ガイド３４はドラム径の変化に追従して可動するため、下側可動ガイド３４に貼り付けられた除電バー５０もまた可動する。すなわち除電バー５０は、最厚状態（図３（Ｂ））から最薄状態（図３（Ａ））に遷移するに連れて徐々にドラム３１に近接するように上側へ向かって移動する一方、最薄状態（図３（Ａ））から最厚状態（図３（Ｂ））に遷移するに連れて徐々にドラム３１から離隔するように下側へ向かって移動する。
【００５４】
このため一時保留部１７は、テープ４２の軌道の変化に追従して除電バー５０を可動させることができる。これにより一時保留部１７は、ドラム径に関わらず、除電バー５０の根本部とテープ４２との間隔を一定に保ち、除電バー５０の電極５０ｃの先端部をテープ４２の外側面４２ｓ１に一定の力で接触させ続けることができる。
【００５５】
さらに、テープ４２の内側面４２ｓ２は、除電バー５２の電極５０ｃに接触する。このときテープ４２の内側面４２ｓ２から電荷が電極５０ｃ及び導電両面テープ５０ｅを介して一時保留部フレーム３０へ移動する。このためテープ４２の内側面４２ｓ２に帯電した静電気は、除電バー５２及び一時保留部フレーム３０を介しフレーム１１へ放電される。これによりテープ４２は、内側面４２ｓ２が除電される。
【００５６】
ここで、ローラ４３はドラム径に応じて位置が変化しないため、ローラ４３に巻き付いた状態のテープ４２は、ドラム径に応じて軌道が変化しない。このため一時保留部１７は、ドラム径に応じて可動しない除電バー５２をテープ４２の内側面４２ｓ２に当接させることにより、ドラム径の変化に関わらずテープ４２の内側面４２ｓ２を除電できる。
【００５７】
このように一時保留部１７は、ドラム３１から引き剥がされたテープ４２における外側面４２ｓ１に対し、下側可動ガイド３４に支持されドラム径に追従して可動する除電バー５０を当接させて除電すると共に、ドラム３１から引き剥がされたテープ４２における内側面４２ｓ２に対し、一時保留部フレーム３０に固定されドラム径に追従して可動しない除電バー５２を当接させて除電するようにした。これにより一時保留部１７は、ドラム３１から引き剥がされたテープ４２の両側面を除電でき、静電気による一時保留部１７の誤動作及び破損を防止できる。
【００５８】
［６．動作及び効果等］
以上の構成において一時保留部１７は、紙幣の巻き付け量によって変化するドラム３１のドラム径に追従して可動する下側可動ガイド３４に除電バー５０を設け、テープ４２の外側面４２ｓ１に除電バー５０を当接させるようにした。このため一時保留部１７は、紙幣の巻き付け量によって変化するテープ４２の軌道に追従させて除電バー５０を移動させて、紙幣の巻き付け量に関わらずテープ４２に安定的に除電バー５０を接触させ、テープ４２の外側面４２ｓ１を除電できる。
【００５９】
また一時保留部１７は、巻戻方向Ｒ２へ回転するドラム３１から繰り出される紙幣に対し、テープ４２を挟んで紙幣とは逆側に除電バー５０を設けるようにした。このため一時保留部１７は、搬送される紙幣に触れることなく除電バー５０をテープ４２の外側面４２ｓ１に接触させることができ、搬送性能に影響を与えることを防ぎつつ、テープ４２の外側面４２ｓ１を除電できる。
【００６０】
ここで、中心軸が移動しないよう一時保留部フレーム３０に回転可能に支持されたローラをローラ４３以外に設けることにより、該ローラとローラ４３との間にドラム径に応じてテープ４２の軌道が変化しない箇所を形成し、その箇所に除電バーを当接させることも考えられる。しかしながらその場合、ローラを追加する必要があるため、部品点数が増加してしまい一時保留部１７を小型化し難くなってしまうと共に、低廉化しにくくなってしまう。
【００６１】
これに対し一時保留部１７は、下側可動ガイド３４に除電バー５０を設け、テープ４２の軌道に追従させて除電バー５０を移動させるようにした。このため一時保留部１７は、ドラム径に応じてテープ４２の軌道が変化しない箇所を形成するためのローラを別途追加しないことにより、部品点数が増加してしまうことを防止しつつ、テープ４２の外側面４２ｓ１を除電できる。
【００６２】
また、ローラ４３を金属製のローラにし、テープ４２がローラ４３に巻き付いた際に該ローラ４３でテープ４２の外側面４２ｓ１を除電することも考えられる。しかしながら金属製のローラを用いる場合にはベアリング等も必要になり、構成が複雑化してしまうと共に、低廉化しにくくなってしまう。
【００６３】
これに対し一時保留部１７は、ローラ４３を樹脂製とすると共に、ローラ４３を金属ローラにする場合よりもコストが安い除電バー５０を追加するようにした。これにより一時保留部１７は、金属ローラを用いることなくテープ４２の外側面４２ｓ１を除電でき、金属ローラを使用する場合と比較して、構成が複雑化しないようにでき、低廉化できる。
【００６４】
以上の構成によれば現金自動取引装置１は、取引すべき紙葉状の媒体である紙幣を外部から取り込む入出金部１４と、紙幣を搬送する搬送部１５と、回転可能に支持され回転軸３１Ｘを中心に回転し紙幣を周側面３１Ｓに巻き付けるドラム３１と、ドラム３１の回転に伴い周側面３１Ｓとの間に紙幣を挟んで巻き付けるテープ４２と、紙幣の巻き付け量によって変化するドラム３１のドラム径に追従して可動し、ドラム３１に対向して周側面３１Ｓとの間で紙幣をガイドする下側可動ガイド３４と、下側可動ガイド３４に設けられ、テープ４２におけるドラム３１の回転軸３１Ｘから離隔する側である外側面４２ｓ１に当接し、帯電したテープ４２から移動した電荷を放電する除電バー５０とを設けるようにした。
【００６５】
これにより現金自動取引装置１は、紙幣の巻き付け量によって変化するテープ４２の軌道に追従させて除電バー５０を移動させ、紙幣の巻き付け量に関わらずテープ４２に除電バー５０を接触させテープ４２を除電できる。
【００６６】
［７．他の実施の形態］
なお上述した実施の形態においては、除電バー５０によりテープ４２を除電する場合について述べた。本発明はこれに限らず、導電性を有する他の種々の除電部によりテープ４２を除電しても良い。
【００６７】
また上述した実施の形態においては、除電バー５０を下側可動ガイド３４に固定する場合について述べた。本発明はこれに限らず、ドラム３１への紙幣の巻き付け量によって変化するテープ４２の軌道に追従するように、下側可動ガイド３４と共に可動するよう除電バー５０を設ければ良い。
【００６８】
さらに上述した実施の形態においては、当接位置Ｐ１と巻付位置Ｐ２との間において除電バー５０をテープ４２に当接させる場合について述べた。本発明はこれに限らず、巻付位置Ｐ２とローラ４３との間において除電バーをテープ４２に当接させても良い。
【００６９】
さらに上述した実施の形態においては、ドラム３１から引き剥がされたテープ４２の外側面４２ｓ１に除電バー５０を当接させる場合について述べた。本発明はこれに限らず、ドラム３１から引き剥がされる前のテープ４２の外側面４２ｓ１に除電バー５０を当接させても良い。
【００７０】
さらに上述した実施の形態においては、除電バー５２を一時保留部フレーム３０に固定する場合について述べた。本発明はこれに限らず、除電バー５２を可動する機構に固定させても良い。
【００７１】
さらに、アースコード６０は、トーションスプリングの近傍や、下側可動ガイド３４の前端の回動支点の近傍等、種々の箇所に配設されても良い。
【００７２】
さらに上述した実施の形態においては、ローラ４３を樹脂材料により形成する場合について述べた。本発明はこれに限らず、ローラ４３を金属材料以外の種々の材料により形成しても良い。
【００７３】
さらに上述した実施の形態においては、３本のテープ４２を有する一時保留部１７に本発明を適用する場合について述べた。本発明はこれに限らず、１本、２本又は４本以上の任意の本数のテープを有する一時保留部に本発明を適用しても良い。
【００７４】
さらに上述した実施の形態においては、現金を取引する現金自動取引装置１に本発明を適用する場合について述べた。本発明はこれに限らず、例えば商品券や金券、入場券等のような薄い紙状の媒体を取り扱う種々の装置に本発明を適用しても良い。また、例えば紙幣を入出する紙幣入出金機や紙幣を所定枚数毎に施封する施封小束支払機等、紙幣や硬貨の取引に関する種々の処理を行う複数種類の装置の組み合わせにより構成された現金処理装置に本発明を適用してもよい。
【００７５】
さらに上述した実施の形態においては、取込部としての入出金部１４と、搬送部としての搬送部１５と、ドラムとしてのドラム３１と、テープとしてのテープ４２と、可動ガイドとしての下側可動ガイド３４と、除電部としての除電バー５０とによって、自動取引装置としての現金自動取引装置１を構成する場合について述べた。本発明はこれに限らず、その他種々の構成でなる取込部と、搬送部と、ドラムと、テープと、可動ガイドと、除電部とによって、媒体取引装置を構成しても良い。
【産業上の利用可能性】
【００７６】
本発明は、静電気から電子機器等を保護する種々の装置でも利用できる。
【符号の説明】
【００７７】
１……現金自動取引装置、２……筐体、３……顧客応対部、４……カード入出口、５……入出金口、６……操作表示部、７……テンキー、８……レシート発行口、９……主制御部、１０……紙幣入出金機、１０Ｕ……上部ユニット、１０Ｄ……下部ユニット、１１……フレーム、１２……紙幣制御部、１３……記憶部、１４……入出金部、１５……搬送部、１６……鑑別部、１７……一時保留部、１８……紙幣収納庫、１９Ｕ……上側リジェクト庫、１９Ｄ……下側リジェクト庫、２０……下部フレーム、２１……振分搬送部、３０……一時保留部フレーム、３０Ｈ……挿通孔、３１……ドラム、３１Ｘ……回転軸、３１Ｓ……周側面、３１Ｗ……巻付層、３２……上側搬送ガイド、３３……下側搬送ガイド、３４……下側可動ガイド、３４ａ……下側可動ガイド除電バー孔、３４ｓ……下側可動ガイド背面板金、３５……ドラム当接ローラ、３６……上側可動ガイド、３７……追従ローラ、４１……リール、４１Ｘ……回転軸、４２……テープ、４２ｓ１……外側面、４２ｓ２……内側面、４３……ローラ、４５……フィードローラ、５０、５２……除電バー、５０ａ……絶縁シート、５０ｂ……接着剤、５０ｃ……電極、５０ｄ……抜け防止接着剤、５０ｅ……導電両面テープ、６０……アースコード、Ｐ１……当接位置、Ｐ２……巻付位置、Ｒ１……巻取方向、Ｒ２……巻戻方向、Ｓ１……巻取方向、Ｓ２……引出方向。
【図１】
2020194417.tif 000003
【図２】
2020194417.tif 000004
【図３】
2020194417.tif 000005
【図４】
2020194417.tif 000006
【図５】
2020194417.tif 000007
【図６】
2020194417.tif 000008